(57)【要約】【課題】簡単で、確実に目地切材を仮固定することができ、またコンクリート面として施工した場合には著しく強度がある目地切材の固定装置、及びその固定装置を使用した施工方法、コンクリート施工面を提供する。【解決手段】目地切材を躯体ｂの施工面ｄに配設し、止着具３を目地切材２と躯体ｂの施工面ｄとに接着して固定可能に支持させるようにした。【選択図】  図１
2004156303.tif 000002
【特許請求の範囲】
【請求項１】
目地切材を躯体の施工面に配設し、止着具を目地切材と躯体の施工面とに接着して固定可能に支持させるようにしたことを特徴とする目地切材の固定装置。
【請求項２】
目地切材を躯体の施工面に配設し、止着具を目地切材と躯体の施工面とに接着して目地切材を固定し、目地切材で囲まれる躯体の施工面に、防水層の保護コンクリート層を施工するようにしたことを特徴とする目地切材の固定装置を使用したコンクリート面の施工方法。
【請求項３】
目地切材が躯体の施工面に配設され、止着具を目地切材と躯体の施工面とに接着して目地切材を固定し、目地切材で囲まれる躯体の施工面に、防水層の保護コンクリート層が施工されていることを特徴とするコンクリート施工面。
【発明の詳細な説明】
【０００１】
【発明の属する技術分野】
本発明は、駐車場、建築物の屋上面等の防水層を保護するためのコンクリートが伸縮によつて亀裂が発生するのを防止するようにした目地切材の固定装置、前記目地切材の固定装置を使用したコンクリート面の施工方法及びコンクリート施工面に関するものである。
【０００２】
【従来の技術】
駐車場や建築物の屋上を構成するため、躯体の表面に目地切材を格子状に配設し、目地切材を仮固定して躯体の表面にコンクリートを打設するようにした目地切材の支持構造が知られている。（例えば特許文献１参照）
【０００３】
【特許文献１】
特開平９―７２０４９号公報
【０００４】
上記特許文献１（特開平９―７２０４９号公報）に記載されている目地切材の支持について図５，図６を参照して説明する。図５，図６に示すように、目地切材１０１は、その下部側方に固定ベースの役目を果たす脚部１０２が形成され、脚部１０２により目地切材１０１は安定して立ち得る。キャップ１１０は、柔軟性の樹脂によって成形され、目地切材１０１の上部に被せられる。図中、１１３は両面粘着テープである。キャップ１１０の側面にはその長さ方向に３条のリブ１１１が設けられており、このリブ１１１に脚１２０の嵌合部１２１を嵌める。脚１２０は、剛体であって、その上端に断面コ字状嵌合部１２１、下端に固定部１２２を有する。
【０００５】
固定部１２２は、紐１２３を介してピン板１２４が設けられており、このピン板１２４は４本のピン１２５を有する。一方、固定部１２２にはその各ピン１２５が貫通する穴１２６が形成されており、各ピン１２５を穴１２６に通して断熱層Ａに挿し込んで固定部１２２を固定する。固定部１２２の裏面には離型紙付きの両面粘着テープを設ける。脚１２０、嵌合部１２１、固定部１２２、紐１２３、固定ピン１２５等は樹脂により一体成形する。
【０００６】
目地切材１０１を固定ピン１１７で断熱層Ａ（外断熱方式では躯体Ｐの表面に防水層設Ｄけ、外部に断熱層Ａを設けてある）に固定したのち、まず、キャップ１１０の目地切材１０１への被せ度合によって、キャップ１１０上面を押えコンクリートＢ上面と面一となるように調整し、支持ピン１１６を挿し込んで目地切材１０１にキャップ１１０を固定する。次に、脚１２０の嵌合部１２１をリブ１１１に嵌め、固定部１２２をピン１２５でもって断熱層Ａに挿し固定して、脚１２０でもってキャップ１１０及び目地切材１０１を支持する。このとき、脚１２０がキャップ１１０を最も安定して支持する傾斜角度となるように、嵌めるリブ１１１を適宜に選択する。また、ピン１２５の挿し込み前に、両面粘着テープで仮止めする。脚１２０の取付は、キャップ１１０の両側面の長さ方向の適宜位置とする。
【０００７】
【発明が解決しようとする課題】
前記の従来技術は、躯体の表面に配設した目地切材の左右に脚材を設けて固定ピンを断熱層に打ち込むことにより仮固定し、仮固定された目地切材で囲まれる断熱層の表面にコンクリートを打設する構成であるが、断熱層が比較的軟質であるから目地切材を安定に仮固定することができなくて、コンクリートの打設時に衝撃や流動押圧により傾いたり倒れることがある。そして、目地切材を仮固定する場合に、多数本の固定ビンを打ち込む作業を必要とするので著しく無駄な労力と時間とを要することになる。
【０００８】
また、目地切材を躯体の表面に仮固定する場合、固定ピンを使用しないで左右に固定モルタルを瘤状に付着させる方法も知られている。しかし、この方法であっても、目地切材に沿わせて左右に捨てコンクリートをあてがう作業が必要であるし、固定モルタルが硬化してからコンクリートを打設すると、一体化しないで強度が低いコンクリート面を施工することになる。また、固定モルタルを現場で施工するには著しく手間を要する。
【０００９】
したがって、本発明は、きわめて簡単で、しかも確実に目地切材を仮固定することができ、またコンクリート面として施工した場合には著しく強度がある目地切材の固定装置、及びその固定装置を使用した施工方法、コンクリート施工面を提供することを目的とする。
【００１０】
【課題を解決するための手段】
前記目的を達成するため、本発明の請求項１に記載した発明は、目地切材を躯体の施工面に配設し、止着具を目地切材と躯体の施工面とに接着して固定可能に支持させるようにしたことを特徴とする目地切材の固定装置である。
【００１１】
本発明の請求項２に記載した発明は、目地切材を躯体の施工面に配設し、止着具を目地切材と躯体の施工面とに接着して目地切材を固定し、目地切材で囲まれる躯体の施工面に、防水層の保護コンクリート層を施工するようにしたことを特徴とする目地切材の固定装置を使用したコンクリート面の施工方法である。
【００１２】
また本発明の請求項３に記載された発明は、目地切材が躯体の施工面に配設され、止着具を目地切材と躯体の施工面とに接着して目地切材を固定し、目地切材で囲まれる躯体の施工面に、防水層の保護コンクリート層が施工されていることを特徴とするコンクリート施工面である。
【００１３】
【発明の実施の形態】
以下に本発明を図面に示す実施の態様に基づいて説明する。
図１は本発明の第１の実施例を示す分解斜視図、図２は図１の施工状態の概略平面図、図３は図２のＡ−Ａ線での断面図、図４は本発明の第２の実施例の施工状態の概略正面図である。
【００１４】
図１乃至図３に示す本発明の第１の実施例について以下に説明する。
駐車場や建築物の順上を構成するコンクリート施工面ａの一例としては、コンクリートを打設して養生硬化させることにより構成した躯体ｂの表面に断熱層ｃを設け、前記断熱層ｃの表面に防水層ｄを設けて躯体の施工面を形成し、その表面に防水層ｄの保護用コンクリート層ｅを打設してなるもので、この例の場合には躯体ｂの表面に断熱層ｄを設けてあるので、内断熱方式である。そして、一般的には、断熱層ｃとしては発泡ウレタン樹脂、発泡スチレン樹脂等の発泡樹脂やゴム材で、また防水層ｄとしてはアスファルトシート、ゴムシートを使用することができる。
【００１５】
そして、本発明における固定装置１は、目地切材２と、前記目地切材２を仮固定する止着具３とからなるもので、図１，２に示す第１の実施例によれば、目地切材２は縦長で長尺な目地切材本体２１の下端に、前記目地切材本体２１を安定に配設するために台座枠２２を設け、上端に保護用のキャップ材２３を被着してなる構成である。目地切材本体２１、台座枠２２及び止着具３は、例えば、発泡ウレタン樹脂、発泡スチレン樹脂等の発泡樹脂により成形して構成する。
【００１６】
キャップ材２３を被着した目地切材本体２１を台座枠２２を介して防水層ｄの表面に格子状に配設し、台座枠２２の底面を離型紙付きの両面粘着テープｆなどで防水層ｄに接着して目地切材２を防水層ｄの表面に仮固定する。止着具３はＬ字の断面形状をしたブロックであり、防水層ｄに仮固定した台座枠２２の外郭の略直角な角部と、この角部に隣接する側面に止着具３の内郭の略直角な内角部とこの内角部に隣接する一方の端面を離型紙付きの両面粘着テープｆなどで面接着させ、この状態で止着具３の内角部に隣接する他方の端面を防水層ｄに接着して、防水層ｄ、台座枠２２及び目地切材本体２１が止着具３により強固に一体化する。尚、台座枠２２の底面を両面粘着テープｆなどによる防水層ｄへの接着を省略して、台座枠２２及び目地切材本体２１を止着具３により仮固定するだけでもよい。
【００１７】
このようにして、止着具３を、目地切材２の左右側面において適宜の間隔で接着することにより、目地切材２は、防水層ｄの表面において直立状となって著しく強固に固定されることになる。したがって、目地切材２を前記のように防水層ｄの表面に固定したら、目地切材２で囲まれる防水層ｄの表面に保護コンクリート層ｅを打設して養生硬化させることにより、コンクリート施工面ａを施工することができるし、保護コンクリート層ｅの打設時に目地切材２が傾いたり倒れ、若しくは切断したり破損することがなく、作業性が著しく良好である。
【００１８】
図４に示す本発明の第２の実施例は、目地切材本体２１の下端に、横向きの底部２１１を一体に設けて縦断面を逆Ｔ字状にし台座枠２２を省略して目地切材２ａを形成した構成で、第１の実施例と同様に両面粘着テープｆなどで防水層ｄに仮固定しておく。そして、図１乃至３と同一の構成の止着具３を使用し、底部２１１の外郭に止着具３の内郭を面接着し、また、止着具３を防水層ｄに面接着して、目地切材２ａは防水層ｄに仮固定し、目地切材２ａで囲まれる防水層ｄの表面に保護コンクリート層ｅを打設して養生硬化させることにより、コンクリート施工面ａを施工することができる。
【００１９】
本発明においては、各実施例のようにして目地切材を固定したら、従来と同様に断熱層ｃの表面に防止層ｄを設け、前記防止層ｄの表面にモルタル、コンクリートを打設して防水層の保護用コンクリート層ｅを設け、駐車場、建築物の順上等を構築する。
【００２０】
以上本発明を図面に示す実施例に基づいて説明したが、本発明は前記実施例に限定されるものではなく、特許請求の範囲に記載の構成を変更しない限り、どのようにでも実施することができる。例えば、目地切材が防水層に載置でき、且つ、目地切材の外郭に止着具の内郭が面接触した密着状態で防水層に載置されるのであれば、目地切材と止着具は、どのような形状でもよいし、その材質は、金属、樹脂、木材など適宜の材質を使用することができる。
【００２１】
【発明の効果】
以上要するに、本発明によれば、目地切材を躯体の施工面（断熱層又は防水層の表面）に配設し、止着具を目地切材と躯体の施工面とに接着して固定可能に支持させるようにした目地切材の固定装置、及び前記固定装置を使用したコンクリート面の施工方法と施工面が提供できる。
【００２２】
したがって、従来のように目地切材を固定するための特別な装置が必要ではなく、簡単な構成の止着具を、施工面に配設した目地切材の左右の側面から接着するだけで、きわめて簡単に、確実に目地切材を固定することができる。そして、作業が簡単で熟練の必要がないので、コンクリート面の施工作業が簡易化されて実用的価値の高いものとなる。
【図面の簡単な説明】
【図１】本発明の第１の実施例を示す分解斜視図である。
【図２】図１の施工状態の概略平面図である。
【図３】図２のＡ−Ａ線での断面図である。
【図４】本発明の第２の実施例の施工状態の概略正面図である。
【図５】従来例を示す斜視図である。
【図６】図５の切断正面図である。
【符号の説明】
１  固定装置
２，２ａ  目地切材
３  止着具
２１  目地切材本体
２２  台座枠
２３  キャップ材
２１１  底部
ａ  コンクリート施工面
ｂ  躯体
ｃ  断熱層
ｄ  防水層
ｅ  保護用コンクリート層
ｆ  粘着テープ
【図１】
2004156303.tif 000003
【図２】
2004156303.tif 000004
【図３】
2004156303.tif 000005
【図４】
2004156303.tif 000006
【図５】
2004156303.tif 000007
【図６】
2004156303.tif 000008